(57)【要約】【課題】フィルタカバーを簡単に取り外すことができる電気機器収納用箱の換気装置を提供する。【解決手段】内部にフィルタ３が収納されたフィルタケース１と、このフィルタケース１を覆うフィルタカバー２とを有する電気機器収納用箱の換気装置である。フィルタケース１又はフィルタカバー２の何れか一方に、フィルタカバー２を支持するための軸部６が突設され、他方には軸部６が摺動する長孔９が形成されている。長孔９は、フィルタカバー２を前後方向に回動させる際に軸部６が摺動する第１摺動孔９Ａと、終端が前記フィルタケース又は前記フィルタカバーの側面周縁に向けて開口された第２摺動孔９Ｂとからなり、第１摺動孔９Ａに、フィルタカバー２を開位置で支持する開位置軸支持部１０を設けた。【選択図】図２
2014143270.tif 000002
【特許請求の範囲】
【請求項１】
内部にフィルタが収納されたフィルタケースと、このフィルタケースを覆うフィルタカバーとを有する電気機器収納用箱の換気装置であって、
前記フィルタケース又は前記フィルタカバーの何れか一方に、フィルタカバーを支持するための軸部が突設され、他方には前記軸部が摺動する長孔が形成されており、
前記長孔は、フィルタカバーを前後方向に回動させる際に前記軸部が摺動する第１摺動孔と、終端が前記フィルタケース又は前記フィルタカバーの側面周縁に向けて開口された第２摺動孔とからなり、
前記第１摺動孔には、前記フィルタカバーを開位置で支持する開位置軸支持部を設けたことを特徴とする電気機器収納用箱の換気装置。
【請求項２】
前記軸部は前記第１摺動孔を自重により摺動して、前記開位置軸支持部まで移動することを特徴とする請求項１に記載の電気機器収納用箱の換気装置。
【請求項３】
前記フィルタケースに前記軸部、前記フィルタカバーに前記長孔を設け、
前記第２摺動孔は前記第１摺動孔の前記開位置軸支持部よりも下方位置から延設されたものであることを特徴とする請求項２に記載の電気機器収納用箱の換気装置。
【請求項４】
前記フィルタケースに前記長孔、前記フィルタカバーに前記軸部を設け、
前記第２摺動孔は前記第１摺動孔の前記開位置軸支持部よりも上方位置から延設されたものであることを特徴とする請求項２に記載の電気機器収納用箱の換気装置。
【請求項５】
前記開位置軸支持部を前記第１摺動孔の終端に形成したことを特徴とする請求項３または４に記載の電気機器収納用箱の換気装置。
【請求項６】
前記第２摺動孔を前記第１摺動孔から分岐して形成したことを特徴とする請求項３〜５の何れかに記載の電気機器収納用箱の換気装置。
【請求項７】
前記フィルタケースは、前記軸部が前記開位置軸支持部に位置するときに、前記フィルタカバーの下端部が当接して該フィルタカバーの回転を止める当接面を備えたものであることを特徴とする請求項１に記載の電気機器収納用箱の換気装置。
【請求項８】
前記第１摺動孔と前記第２摺動孔との連通口をその他の部分よりも狭幅に形成したことを特徴とする請求項１に記載の電気機器収納用箱の換気装置。
【発明の詳細な説明】
【技術分野】
【０００１】
本発明は、電気機器収納用箱に取り付けて用いられる換気装置であって、特に内部に防塵・防水用のフィルタを備えた換気装置に関するものである。
【背景技術】
【０００２】
従来から、電気機器収納用箱の筐体内を換気する換気装置として、塵埃や雨水等が筐体内へ侵入することを防止するためのフィルタを備えたものが広く採用されている。このフィルタは定期的にフィルタケースから取り外して交換する必要があるが、この種の換気装置は、電気機器収納用箱に取り付けた状態で、フィルタを交換する場合がある。
【０００３】
このようなフィルタを交換する構造として、例えば特許文献１の換気装置が知られている。この換気装置は、フィルタを収納するフィルタケースの側面にガイド溝を設け、フィルタカバーの側面にこのガイド溝内を摺動するガイドピンを形成することにより、フィルタカバーを回動させて筺体の内側からフィルタを取り外す構造である（特許文献１図４）。さらに、フィルタカバーの側面には一対の係止爪が形成されているため、フィルタケースからフィルタカバーを引き出す際にこの係止爪がフィルタの側面を押圧してフィルタをフィルタカバーとともに引き出すことができる。この構造によれば、工具を用いなくともフィルタカバーを回動させるだけでフィルタを取り出すことができる。
【０００４】
しかしこの換気装置は、筐体内にフィルタカバーを大きく回動させるスペースが必要であるので、筐体に多数の電気機器を搭載した場合には、フィルタカバーが電気機器に接触して、フィルタを取り出すことができないことがある。これを防ぐには、フィルタカバーをフィルタケースから取り外せばよいのであるが、特許文献１はガイド溝にガイドピンを嵌合した構造であるため、フィルタカバーを取り外し難いという問題があった。
【先行技術文献】
【特許文献】
【０００５】
【特許文献１】特開２００９−２８３８４８号公報
【発明の概要】
【発明が解決しようとする課題】
【０００６】
本発明の目的は前記問題を解決し、筐体内に多数の電気機器が搭載されている場合にも、フィルタを簡単に取り外すことができる電気機器収納用箱の換気装置を提供することである。
【課題を解決するための手段】
【０００７】
上記課題を解決するためになされた請求項１に記載の発明は、内部にフィルタが収納されたフィルタケースと、このフィルタケースを覆うフィルタカバーとを有する電気機器収納用箱の換気装置であって、前記フィルタケース又は前記フィルタカバーの何れか一方に、フィルタカバーを支持するための軸部が突設され、他方には前記軸部が摺動する長孔が形成されており、前記長孔は、フィルタカバーを前後方向に回動させる際に前記軸部が摺動する第１摺動孔と、終端が前記フィルタケース又は前記フィルタカバーの側面周縁に向けて開口された第２摺動孔とからなり、前記第１摺動孔には、フィルタカバーを開位置で支持する開位置軸支持部を設けたことを特徴とするものである。
【０００８】
請求項２のように、前記軸部は、前記第１摺動孔を自重により摺動して、前記開位置軸支持部まで移動してもよい。また請求項３のように、前記フィルタケースに前記軸部、前記フィルタカバーに前記長孔を設け、前記第２摺動孔は前記第１摺動孔の前記開位置軸支持部よりも下方位置から延設してもよいし、請求項４のように、前記フィルタケースに前記長孔、前記フィルタカバーに前記軸部を設け、前記第２摺動孔は前記第１摺動孔の前記開位置軸支持部よりも上方位置から延設してもよい。
【０００９】
また、請求項５のように、前記開位置支持部を第１摺動孔の終端に形成してもよいし、請求項６のように、前記第２摺動孔を第１摺動孔から分岐して形成してもよい。
【００１０】
さらに、請求項７のように、前記フィルタケースは、前記軸部が開位置軸支持部に位置するときに、前記フィルタカバーの下端部が当接してフィルタカバーの回転を止める当接面を備えたものとすることが好ましい。また請求項８のように、前記第１摺動孔と前記第２摺動孔との連通口をその他の部分よりも狭幅にすることが好ましい。
【発明の効果】
【００１１】
本発明に係る電気機器収納用箱の換気装置は、前記フィルタケース又は前記フィルタカバーの何れか一方に、フィルタカバーを支持するための軸部が突設され、他方には前記軸部が摺動する長孔が形成されている。この長孔は、フィルタカバーを前後方向に回動させる際に前記軸部が摺動する第１摺動孔と、終端が前記フィルタケース又は前記フィルタカバーの側面周縁に向けて開口された第２摺動孔とからなる。前記軸部が第１摺動孔内を摺動することにより、従来のようにフィルタカバーをフィルタケースに支持させた状態でフィルタを交換することができる。また、フィルタカバーの回動スペースが少ない場合、例えば、フィルタカバーが筐体内に設置された電気機器と接触する恐れがある場合には、前記軸部を第２摺動孔の終端開口から取り出すことにより、簡単にフィルタカバーを取り外して、フィルタを交換することができる。このように本願発明は、フィルタカバーを回動させることも取り外すこともできるので、フィルタ交換を行い易い。
【００１２】
また、前記第１摺動孔には、フィルタカバーを開位置で支持する開位置軸支持部を設けたので、フィルタ交換を容易に行うことができる。
【００１３】
また、請求項２の発明では、前記軸部が前記第１摺動孔を自重により摺動して、前記開位置軸支持部まで移動することで、容易にフィルタカバーを回動することができる。また、請求項３及び請求項４の発明は、フィルタカバーを手で持ち上げて軸部を第２摺動孔に摺動させる構造であるので、誤ってフィルタカバーを取り外すことを防ぐことができる。
【００１４】
また請求項５のように、前記開位置軸支持部を第１摺動孔の終端に形成すれば、軸部を自然に開位置軸支持部に誘導することができる。さらに、請求項６のように、前記第２摺動孔を第１摺動孔から分岐させることにより、軸部を第１摺動孔から第２摺動孔に直接導いて、フィルタカバーを容易に取り外すことができる。
【００１５】
請求項７の発明では、前記フィルタケースに前記フィルタカバーの下端部が当接する当接面を形成した。これにより、軸部が開位置軸支持部にあるときにフィルタカバーを安定に保持することができる。さらに、請求項８の発明によれば、第１摺動孔と前記第２摺動孔との連通口が絞られているので、軸部が第１摺動孔を摺動中に誤って第２摺動孔に入ることを防止できる。
【図面の簡単な説明】
【００１６】
【図１】本実施形態におけるフィルタカバーを閉じた状態の背面斜視図である。
【図２】本実施形態におけるフィルタカバーを開いた状態の背面斜視図である。
【図３】本実施形態の分解斜視図である。
【図４】本実施形態におけるフィルタカバーを閉じた状態の要部拡大右側面図である。
【図５】本実施形態におけるフィルタカバーを開いた状態の要部拡大右側面図である。
【図６】本実施形態の要部縦断面図である。
【図７】その他の実施形態の説明図である。
【図８】その他の実施形態の説明図である。
【発明を実施するための形態】
【００１７】
以下に本発明の好ましい実施形態を示す。
図１〜図３において、１は電気機器収納用箱の筐体に固定されたフィルタケース、２はフィルタケース１の背面側を覆うフィルタカバー、３はフィルタケース１に収納される防塵・防水フィルタである。この換気装置は、図１に示すように、筺体に形成された取付孔２０に外側から嵌め込まれ、内側からねじやビスによって固定されている。
【００１８】
フィルタケース１は、上面及び背面が開口された略四角状の箱体であり、前面板１Ａ、左右側面板１Ｂ及び底面板１Ｃから構成される。前面板１Ａには、左右２箇所に円形状の通気孔４が形成されている。左右側面板１Ｂの上端には、フィルタカバー２を閉状態で保持するためのラッチ受部５が内側に向けて取り付けられている。また、左右側面板１Ｂの下端には、フィルタカバー２を支持するための軸部６が設けられている。底面板１Ｃには、その終端から上方に向かって伸びる当接面７が形成されている。この当接面７にフィルタカバー２の下端を当接させることにより、フィルタカバー２を開いた位置に安定保持させることができる。
【００１９】
フィルタカバー２は、前面及び底面が開口された略四角状の箱体であり、天面板２Ａ、左右側面板２Ｂ及び背面板２Ｃから構成される。天面板２Ａの左右両端には、フィルタカバー２を閉じたときにラッチ受け部５に嵌入するラッチ部８が設けられている。また左右側面板２には、下方に長孔９が切り欠き形成されている。この長孔９内をフィルタケース１に設けた軸部６が摺動することにより、フィルタカバー２を前後方向に回動させたり、取り外したりすることができる。
【００２０】
この長孔９は、フィルタカバー２を回動させる際に軸部６が摺動する第１摺動孔９Ａと、終端が側板２Ｂの前端縁に向けて開口された第２摺動孔９Ｂとからなる。本実施形態では、第１摺動孔９Ａと第２摺動孔９ＢはともにＬ字状をなし、第１摺動孔９Ａの終端付近から第２摺動孔９Ｂを連通させている。この第１摺動孔９Ａには、フィルタカバー２を開位置で支持する開位置軸支持部１０が設けられている。本実施形態では、開位置軸支持部１０は第１摺動孔９Ａの終端に形成され、この開位置軸支持部１０の高さ位置より下方位置から第２摺動孔９Ｂを分岐させている。これにより、フィルタカバー２の自重による回動時、軸部６が第２摺動孔９Ｂに入り込むことなく第１摺動孔９Ａの終端まで摺動するため好ましい。なお、第１摺動孔９Ａと第２摺動孔９Ｂとの連通口にあたる第２摺動孔９Ｂの始端をその他の部分よりも狭幅に形成することにより、軸部６が第２摺動孔９Ｂに脱落することをより確実に防止できる。
【００２１】
背面板２Ｃには、フィルタケース１の通気孔４に対応する位置に円形状の通気孔１１が形成され、さらに下端を垂直方向に延設して折り曲げ部１２となしている。この折り曲げ部１２を形成することにより背面板２Ｃの下端の強度を増すことができる。
【００２２】
次に、フィルタカバー２の回動手順及び取り外し手順を説明する。図１及び図４はフィルタカバー２の閉状態を示す。この状態において、軸部６は第１摺動孔９Ａの始端に支持されている。このときラッチ部８はラッチ受部５に嵌入してフィルタカバー２を固定している。フィルタカバー２を開くには、まずラッチ部８をラッチ受部５から外し、フィルタカバー２を真上に持ち上げて、軸部６を第１摺動孔９Ａの垂直部分の角部まで移動させ、この状態からフィルタカバー２を後方に少し傾ける。そうすると、フィルタカバー２の自重により軸部６が第１摺動孔９Ａの上辺に沿って開位置軸支持部１０まで摺動し、図２及び図５に示す開状態となる。このとき、フィルタカバー２の下端は図６のようにフィルタケース１の当接面７に当接しているので、フィルタカバー２を開状態で安定させることができる。尚、フィルタカバー２を閉めるには上記と逆の手順を踏めばよい。
【００２３】
また、筐体内にフィルタカバー２を回動させるだけのスペースがない場合には、フィルタカバー２をフィルタケース１から取り外してフィルタ交換を行うことができる。その手順としては、まず、フィルタカバー２を真上に持ち上げた状態でフィルタカバー２を手前に引く。これにより、軸部６が第１摺動孔９Ａ内を摺動する。軸部６が第２摺動孔９Ｂとの連通口に位置したところで、さらにフィルタカバー２を真上に持ち上げ、その状態でフィルタカバー２を手前に引く。すると第２摺動孔９Ｂの終端から軸部６が外れて、フィルタカバー２を取り外した状態となる。なお、フィルタカバー２を取り付ける場合には上記と逆の手順を踏めばよい。
【００２４】
本実施形態では、第１摺動孔９Ａ及び第２摺動孔９Ｂの形状をＬ字状としたがこれに限定されるものではなく、例えば図７のように、第１摺動孔９ＡをＵ字状に形成し、第２摺動孔９Ｂを第１摺動孔９Ａの終端付近からフィルタカバー２の前端縁に向かって直線状に伸ばしてもよいし、図示はしないが、第１摺動孔９Ａを直線状の長孔としてもよい。また図８のように、軸部６と長孔９の形成位置を入れ替えてもよい。すなわち、軸部６をフィルタカバー２に形成し、この軸部６が摺動する長孔９をフィルタケース１に形成してもよい。その場合は、第１摺動孔９Ａの終端付近かつ、開位置軸支持部１０の高さ位置より上方位置から第２摺動孔９Ｂを分岐させる。これにより、軸部６は第１摺動孔９Ａの下辺に沿って摺動する。また、本実施形態は上開き式としたが、軸部６と長孔９を上方に形成することにより下開き式とすることもできる。これにより、換気装置を高い位置に設置した場合でも簡単にフィルタを交換することができる。また、フィルタケース１とフィルタケース１の正面側のフィルタカバーに軸部構造を設け、フィルタケース１の正面側のフィルタカバーを回動及び取外し可能としてもよい。
【００２５】
以上に説明したように、本発明に係る換気装置は、フィルタカバー２を支持するための軸部６とこの軸部６が摺動する長孔９を形成した。この長孔９は、フィルタカバー２を前後方向に回動させる際に軸部６が摺動する第１摺動孔９Ａと、終端が開口された第２摺動孔９Ｂとからなるので、フィルタカバー２をフィルタケース１に支持させた状態で回動させてフィルタを交換することもできるし、フィルタカバー２をフィルタケース１から取り外してフィルタを交換することもできる。第１摺動孔９Ａには、フィルタカバー２を開位置で支持する開位置軸支持部１０を設けたので、フィルタ交換を容易に行うことができる。さらに、第１摺動孔９Ａと第２摺動孔９Ｂとの連通口をその他の部分よりも狭幅に形成したので、軸部６が第１摺動孔９Ａを摺動中に誤って第２摺動孔９Ｂ内に脱落しにくくなる。また、開位置軸支持部１０を第１摺動孔９Ａの終端に形成したので、軸部６を自然に開位置軸支持部１０に誘導することができる。さらに、第２摺動孔９Ｂを第１摺動孔９Ａから分岐させたので、軸部６を第１摺動孔９Ａから第２摺動孔９Ｂに直接導いて、フィルタカバー２を容易に取り外すことができる、等の利点を有する。
【００２６】
１  フィルタケース
２  フィルタカバー
３  フィルタ
４  通気孔
５  ラッチ受部
６  軸部
７  当接面
８  ラッチ部
９  長孔
９Ａ  第１摺動孔
９Ｂ  第２摺動孔
１０  開位置軸支持部
１１  通気孔
１２  折り曲げ部
２０  取付孔
【図８】
2014143270.tif 000003
【図１】
2014143270.tif 000004
【図２】
2014143270.tif 000005
【図３】
2014143270.tif 000006
【図４】
2014143270.tif 000007
【図５】
2014143270.tif 000008
【図６】
2014143270.tif 000009
【図７】
2014143270.tif 000010